(57)【特許請求の範囲】
【請求項１】
車両に搭載されたリレー固着検出システムであって、
バッテリ、前記バッテリと第１電気機器との間の経路に設けられた第１リレー、前記バッテリと第２電気機器との間の経路に設けられた第２リレー、及び、前記バッテリを充電するために外部交流電源に接続される充電プラグを含む電源回路と、
前記第１リレー又は前記第２リレーの接点の固着を検出するための交流信号を前記電源回路に与える交流信号付与手段と、
前記第１リレー又は前記第２リレーの接点が開状態の場合と閉状態の場合との間で前記交流信号の振幅値が互いに異なる位置において、前記交流信号の振幅を検出する振幅検出手段と、
前記充電プラグが前記外部交流電源に接続されているか否かを判定するプラグ接続状態判定手段と、
前記充電プラグが前記外部交流電源に接続されていないときに前記振幅検出手段が検出した前記交流信号の振幅に基づいて、前記第１リレー又は前記第２リレーの接点の固着を検出する固着検出手段と、
を備え、
前記第１リレーが固着している場合に前記交流信号が前記第１電気機器と接地部材との間の第１浮遊容量を通る経路を流れ、前記第２リレーが固着している場合に前記交流信号が前記第２電気機器と接地部材との間の第２浮遊容量を通る経路を流れ、前記第１浮遊容量と前記第２浮遊容量の容量の差に応じて、前記振幅検出手段が検出する前記交流信号の振幅が、前記第１リレー及び前記第２リレーが固着していない場合と、前記第１リレーが固着している場合と、前記第２リレーが固着している場合との間で互いに異なる、
ことを特徴とするリレー固着検出システム。
【発明の詳細な説明】
【技術分野】
【０００１】
本発明は、リレー固着検出システムに関し、特に、バッテリ駆動車両におけるバッテリと電気機器との間に設けられたリレーの固着を検出するシステムに関する。
【背景技術】
【０００２】
電気自動車あるいはハイブリッドカーには、バッテリと、当該バッテリに電気的に接続される様々な電気機器が搭載されている。このような電気機器としては、例えば、車両を駆動するための動力源あるいは発電機として機能するモータジェネレータを制御するためのパワーコントロールユニット（ＰＣＵ）が挙げられる。また、近年の車両には、例えば家庭用電源や充電スタンドなどの外部交流電源からの電力によってバッテリを充電（プラグイン充電）することができるように、外部交流電源からの交流電力を直流電力に変換するための充電器（ＡＣ−ＤＣ変換器）を備えており、当該充電器も電気機器の１つとして挙げられる。
【０００３】
例えばイグニッションがオフの状態である場合など、ＰＣＵが動作する必要がない場合にＰＣＵに電力が供給されないように、バッテリとＰＣＵとの間の経路にはリレーが設けられている。このようなリレーはシステムメインリレーと呼ばれている。また、バッテリの充電が完了したときにバッテリと充電器との間を電気的に遮断するために、バッテリと充電器との間の経路にもリレーが設けられる。このようなリレーはチャージリレーと呼ばれている。このように、電気自動車あるいはハイブリッドカーには、バッテリと電気機器との間の経路にリレーが設けられている。
【０００４】
バッテリと電気機器との間の経路に設けられたリレーの接点は、寿命あるいは過大電流が流れたことによる溶着などによって、閉状態（オン状態）のまま固着してしまうおそれがある。このことに鑑みて、従来、このようなリレーの接点の固着を検出する技術が提案されている。
【０００５】
例えば、特許文献１には、バッテリの正電極と電気機器の間に設けられた正側スイッチ（接点）、及び、バッテリの負電極と電気機器の間に設けられた負側スイッチ（接点）の固着を効率的に検出する技術が開示されている。具体的には、バッテリ及び上記２つのスイッチを含む回路に交流電流を印加し、２つのスイッチが固着していないとき（つまり２つのスイッチが両方とも開状態であるとき）と、２つのスイッチの少なくとも一方が固着したとき（つまり少なくとも一方のスイッチが閉状態であるとき）との間で、回路の所定位置において検出された交流電流の振幅が互いに異なることを利用して、当該所定位置における交流電流の検出振幅値に基づいて２つのスイッチの固着を検出している。
【先行技術文献】
【特許文献】
【０００６】
【特許文献１】特開２０１５−３５７０８号公報
【発明の概要】
【発明が解決しようとする課題】
【０００７】
充電プラグが外部交流電源に接続され、外部交流電源からの交流電力が車両内に供給されると、外部交流電源に由来するノイズがバッテリ及びリレーを含む回路に伝播する場合がある。このようなノイズは、例えば、外部交流電源からの交流電力が流通する交流ラインから空間を飛来してくる電磁波により引き起こされる誘導ノイズ又は輻射ノイズなどである。これらのノイズは、所定の周波数（例えば外部交流電源の周波数あるいはその倍数の周波数）で振幅が変動している場合がある。
【０００８】
例えば特許文献１に記載のように、交流信号を回路に印加して、印加された交流信号の振幅を検出することによってリレーの接点の固着を検出する方法を採用する場合、充電プラグが接続された状態、つまり車両内に外部交流電源からの交流電力が供給されている状態においては、上記のようなノイズが検出振幅値に影響を及ぼし、リレーの接点の固着検出処理において誤検出が生じるという問題があった。
【０００９】
本発明の目的は、バッテリを充電するために外部交流電源に接続される充電プラグを有する車両において、バッテリと電気機器との間の経路に設けられたリレーの接点の固着を検出するにあたり、誤検出の可能性を低減させることにある。
【課題を解決するための手段】
【００１０】
本発明は、車両に搭載されたリレー固着検出システムであって、バッテリ、前記バッテリと第１電気機器との間の経路に設けられた第１リレー、前記バッテリと第２電気機器との間の経路に設けられた第２リレー、及び、前記バッテリを充電するために外部交流電源に接続される充電プラグを含む電源回路と、前記第１リレー又は前記第２リレーの接点の固着を検出するための交流信号を前記電源回路に与える交流信号付与手段と、前記第１リレー又は前記第２リレーの接点が開状態の場合と閉状態の場合との間で前記交流信号の振幅値が互いに異なる位置において、前記交流信号の振幅を検出する振幅検出手段と、前記充電プラグが前記外部交流電源に接続されているか否かを判定するプラグ接続状態判定手段と、前記充電プラグが前記外部交流電源に接続されていないときに前記振幅検出手段が検出した前記交流信号の振幅に基づいて、前記第１リレー又は前記第２リレーの接点の固着を検出する固着検出手段と、を備え、前記第１リレーが固着している場合に前記交流信号が前記第１電気機器と接地部材との間の第１浮遊容量を通る経路を流れ、前記第２リレーが固着している場合に前記交流信号が前記第２電気機器と接地部材との間の第２浮遊容量を通る経路を流れ、前記第１浮遊容量と前記第２浮遊容量の容量の差に応じて、前記振幅検出手段が検出する前記交流信号の振幅が、前記第１リレー及び前記第２リレーが固着していない場合と、前記第１リレーが固着している場合と、前記第２リレーが固着している場合との間で互いに異なる、ことを特徴とする。
【００１１】
上記構成によれば、電源回路に与えられた交流信号の振幅を検出することで、バッテリと電気機器との間の経路に設けられたリレーの接点の固着を検出するシステムにおいて、充電プラグが外部交流電源に接続されていないときに検出された交流信号の振幅に基づいてリレーの接点の固着が検出される。これにより、外部交流電源に由来するノイズの影響を排除しつつ、リレーの接点の固着を検出することができる。
【発明の効果】
【００１２】
本発明によれば、バッテリを充電するために外部交流電源に接続される充電プラグを有する車両において、バッテリと電気機器との間の経路に設けられたリレーの接点の固着を検出するにあたり、誤検出の可能性を低減させることができる。
【図面の簡単な説明】
【００１３】
【図１】本実施形態に係るリレー固着検出システムの構成概略図である。
【図２】システムメインリレーの接点が固着した場合における交流電流の流通経路を示す図である。
【図３】チャージリレーの接点が固着した場合における交流電流の流通経路を示す図である。
【図４】本実施形態に係るリレー固着検出システムの処理の流れを示すフローチャートである。
【発明を実施するための形態】
【００１４】
以下、本発明の好適な実施形態を図面に基づいて説明する。
【００１５】
図１には、本実施形態に係るリレー固着検出システム１０の構成概略図が示されている。リレー固着検出システム１０は、例えば電気自動車やハイブリッドカーなど、バッテリ及び電気機器を備える車両に搭載されるものである。
【００１６】
リレー固着検出システム１０は電源回路１２を有する。電源回路１２は、後述のバッテリ１８からの電力を電気機器に供給するための電力供給回路１４、及び、家庭用電源あるいは充電スタンドなどの外部交流電源からの電力をバッテリ１８に供給してバッテリ１８を充電するための充電回路１６を含んで構成される。
【００１７】
電力供給回路１４は、バッテリ１８及びシステムメインリレー２０を含んで構成される。本実施形態においては、電力供給回路１４は、バッテリ１８から後述のＰＣＵ２２に対して電力を供給、あるいはＰＣＵ２２からバッテリ１８に対して電力を供給するときの電力の経路である。
【００１８】
バッテリ１８は二次電池であり、例えばリチウムイオン電池あるいはニッケル水素電池である。バッテリ１８は、セルと呼ばれる複数の小さな電池から構成されている。各セルの出力電圧は１．２Ｖ程度であり、数百個のセルが直列接続されることで、バッテリ１８としては２００Ｖ以上の直流電圧を出力する。
【００１９】
システムメインリレー２０は、バッテリ１８と、本実施形態において電気機器を構成するＰＣＵ２２との間の経路に設けられる。システムメインリレー２０は、バッテリ１８に蓄えられた電力の消耗を抑える観点から、例えばイグニッションがオフである場合など、ＰＣＵ２２に電力を供給する必要がない場合にバッテリ１８とＰＣＵ２２間の電気的接続を遮断するために設けられたものである。
【００２０】
システムメインリレー２０は、後述のＥＣＵ４０からの制御により開状態と閉状態とが切り替えられる接点を有しており、当該接点が開閉することでバッテリ１８とＰＣＵ２２間の電気的な遮断と接続が切り替えられる。図１に示す通り、システムメインリレー２０は２つの接点（接点２０ａ及び接点２０ｂ）を有している。接点２０ａは、バッテリ１８の正電極に接続された正電極ライン１８ａの途中に設けられており、接点２０ｂは、バッテリ１８の負電極に接続された負電極ライン１８ｂの途中に設けられている。
【００２１】
２つの接点は、ＥＣＵ４０の制御により同じタイミングにて開閉される。２つの接点でバッテリ１８とＰＣＵ２２間の電気的な遮断と接続を切り替えることで、システムメインリレー２０の対障害性を向上させている。具体的には、２つの接点のいずれか一方が固着してしまった場合であっても、他方の接点が開状態となることで、ＰＣＵ２２に供給される電力を遮断することができる。
【００２２】
電気機器としてのＰＣＵ２２は、車両の駆動源及び発電機として機能するモータジェネレータ（不図示）の制御を行うものである。具体的には、ＰＣＵ２２は、バッテリ１８から供給される電力を受けてモータジェネレータを駆動源として動作させ、あるいは、モータジェネレータが発電した電力をバッテリ１８へ供給する。
【００２３】
ＰＣＵ２２は、例えば車両のボディなどの接地部材に近接して配置されているために、ＰＣＵ２２と当該接地部材との間に浮遊容量２２ａが存在している。後述のように、当該浮遊容量２２ａは、システムメインリレー２０が有する接点２０ａ及び２０ｂの固着を検出するための交流信号が流れる経路を構成する。
【００２４】
システムメインリレー２０に接続される電気機器としては、電気回路や負荷であればよく、ＰＣＵ２２に限られない。例えば、ＰＣＵ２２が制御するモータジェネレータ、車両に設けられた空調設備を駆動させるための回路、当該空調設備自体、あるいは後述の充電器２８などであってもよい。
【００２５】
充電回路１６は、充電プラグ２４、交流ライン２６、充電器２８、直流ライン３０、及びチャージリレー３２を含んで構成される。
【００２６】
充電プラグ２４は、バッテリ１８を充電するために外部交流電源に接続されるものである。充電プラグ２４が外部交流電源に接続されることで、外部交流電源からの交流電力が充電プラグ２４に接続された交流ライン２６に供給される。交流ライン２６は充電器２８にも接続されており、外部交流電源からの交流電力が充電器２８に入力される。
【００２７】
電気機器としての充電器２８は、外部交流電源からの交流電力を直流電力に変換するものである。つまり、充電器２８はＡＣ−ＤＣ変換機能を有する。充電器２８により変換された直流電力は、バッテリ１８に接続される直流ライン３０に供給される。
【００２８】
また、充電器２８は、充電プラグ２４の外部交流電源に対する充電プラグ２４の接続状態を示すプラグ接続情報をＥＣＵ４０へ送信する。具体的には、充電器２８に交流電力が供給されている場合は、充電プラグ２４が外部交流電源へ接続されていることを示す信号をＥＣＵ４０へ送信し、充電器２８に交流電力が供給されていない場合は、充電プラグ２４が外部交流電源へ接続されていないことを示す信号をＥＣＵ４０へ送信する。つまり、充電器２８は、充電プラグ２４が外部交流電源に接続されているか否かを判定するプラグ接続状態判定手段としても機能する。
【００２９】
ＰＣＵ２２と同様に、充電器２８が接地部材に近接配置されているために、充電器２８と当該接地部材との間に浮遊容量２８ａが存在している。後述のように、当該浮遊容量２８ａは、後述のチャージリレー３２が有する接点３２ａ及び３２ｂの固着を検出するための交流信号が流れる経路を構成する。
【００３０】
チャージリレー３２は、直流ライン３０の途中に設けられ、つまり充電器２８とバッテリ１８との間の経路に設けられる。チャージリレー３２は、ＥＣＵ４０からの制御により開状態と閉状態とが切り替えられる接点を有しており、当該接点が開閉することで充電器２８とバッテリ１８間の電気的な遮断と接続が切り替えられる。システムメインリレー２０と同様に、対障害性を向上させる観点から、チャージリレー３２も２つの接点（接点３２ａ及び接点３２ｂ）を有している。接点３２ａは、充電器２８とバッテリ１８の正電極との間に設けられており、接点３２ｂは、充電器２８とバッテリ１８の負電極との間に設けられている。
【００３１】
２つの接点は同じタイミングにて開閉される。具体的には、充電プラグ２４が外部交流電源に接続されたときに２つの接点が閉状態となり、バッテリ１８の充電が完了したか、あるいは充電プラグ２４が外部交流電源から外された場合に２つの接点は開状態となる。
【００３２】
充電プラグ２４が外部交流電源に接続された状態では、交流電力が流れる交流ライン２６から空中を飛来してくる電磁波の影響により、正電極ライン１８ａ、負電極ライン１８ｂ、及び直流ライン３０に誘導ノイズあるいは輻射ノイズが伝播する場合がある。外部交流電源に由来するこれらのノイズは、外部交流電源の周波数あるいはその倍数の周波数で振幅が変動し得るものである。
【００３３】
リレー固着検出システム１０は、システムメインリレー２０及びチャージリレー３２（以下、両リレーをまとめて「検出対象リレー」と記載する場合がある）の接点の固着を検出するための交流信号を電源回路１２に与える交流信号付与手段としての交流電圧源３４、及び、電源回路１２に与えられる交流信号の振幅値を検出する振幅検出手段としての電流検出部３６を有する。
【００３４】
交流電圧源３４は、検出対象リレーの接点の固着を検出するために電源回路１２に交流電圧を印加する。交流電圧源３４により印加される交流電圧により、交流電圧源３４から電源回路１２までの経路、及び電源回路１２内に交流信号としての交流電流が発生する。本実施形態では、交流電圧源３４からの交流電圧は、直流成分遮断のためのカップリングコンデンサ３８を介して負電極ライン１８ｂから電源回路１２に印加される。
【００３５】
電流検出部３６は例えば電流計であり、交流電圧源３４によって印加される交流電圧により生じた交流電流の振幅値を検出する。本実施形態においては、電流検出部３６は交流電圧源３４と負電極ライン１８ｂの間に設けられる。
【００３６】
リレー固着検出システム１０は、当該システムの各部を制御するためのＥＣＵ（エンジンコントロールユニット）４０を有する。ＥＣＵ４０は、例えばマイクロプロセッサなどから構成される。ＥＣＵ４０は、リレー固着検出システム１０が有する記憶部（不図示）に記憶された制御プログラムに従って、リレー固着検出システム１０に設けられた各部の制御を行う。例えば、ＥＣＵ４０は、システムメインリレー２０及びチャージリレー３２の接点を開閉させる制御を行う。
【００３７】
ＥＣＵ４０は、電流検出部３６が検出した交流電流の振幅値に基づいて、検出対象リレーの接点の固着を検出する。つまり、ＥＣＵ４０は固着検出手段としても機能するものである。以下、ＥＣＵ４０が検出対象リレーの接点の固着を検出する方法について説明する。
【００３８】
前提として、検出対象リレーの接点の固着を検出する固着検出処理は、検出対象リレーの接点を開状態とする制御を行った上で実行される。本実施形態では、システムメインリレー２０及びチャージリレー３２の両方の接点の固着検出を行うため、システムメインリレー２０及びチャージリレー３２の接点を開状態とした上で、これらの接点の固着検出処理を行う。
【００３９】
システムメインリレー２０及びチャージリレー３２が正常である場合を考える。固着検出処理時において、システムメインリレー２０及びチャージリレー３２が正常であれば（接点が固着していなければ）、図１に示される通り、システムメインリレー２０及びチャージリレー３２の接点は開状態となっている。
【００４０】
このとき、正電極ライン１８ａ及び負電極ライン１８ｂのシステムメインリレー２０側の端部、及び直流ライン３０のチャージリレー３２側の端部がそれぞれ開放されているため、交流電圧源３４により交流電圧が電源回路１２に印加されたとしても、交流電圧源３４から電源回路１２までの間、及び電源回路１２内には交流電流は流れない。したがって、電流検出部３６が検出する振幅値はほぼ０となる。
【００４１】
システムメインリレー２０の接点２０ｂが固着した場合を考える。図２に、接点２０ｂが固着した様子が示されている。接点２０ｂが固着した場合、ＥＣＵ４０がシステムメインリレー２０の接点を開状態とする制御を行ったとしても、接点２０ｂは閉状態を維持することになる。この状態では、図２に示すように、接地点⇔交流電圧源３４⇔電流検出部３６⇔カップリングコンデンサ３８⇔負電極ライン１８ｂ⇔接点２０ｂ⇔ＰＣＵ２２⇔浮遊容量２２ａ⇔接地点という交流電流経路Ａが形成される。したがって、この場合、交流電圧源３４により印加される交流電圧によって、交流電流経路Ａに所定の振幅値を有する交流電流が流れる。当該振幅値は、浮遊容量２２ａの容量などによって定まるものである。接点２０ａが固着した場合についても同様に、接地点⇔交流電圧源３４⇔電流検出部３６⇔カップリングコンデンサ３８⇔正電極ライン１８ａ⇔接点２０ａ⇔ＰＣＵ２２⇔浮遊容量２２ａ⇔接地点という交流電流経路（不図示）に所定の振幅値を有する交流電流が流れる。
【００４２】
チャージリレー３２の接点３２ｂが固着した場合を考える。図３に、接点３２ｂが固着した様子が示されている。接点３２ｂが固着した場合、ＥＣＵ４０がチャージリレー３２の接点を開状態とする制御を行ったとしても、接点３２ｂは閉状態を維持することになる。この状態では、図３に示すように、接地点⇔交流電圧源３４⇔電流検出部３６⇔カップリングコンデンサ３８⇔負電極ライン１８ｂ⇔接点３２ｂ⇔充電器２８⇔浮遊容量２８ａ⇔接地点という交流電流経路Ｂが形成される。したがって、この場合、交流電圧源３４により印加される交流電圧によって、交流電流経路Ｂに所定の振幅値を有する交流電流が流れる。当該振幅値も、浮遊容量２８ａの容量などによって定まるものである。接点３２ａが固着した場合についても同様に、接地点⇔交流電圧源３４⇔電流検出部３６⇔カップリングコンデンサ３８⇔正電極ライン１８ａ⇔接点３２ａ⇔充電器２８⇔浮遊容量２８ａ⇔接地点という交流電流経路（不図示）に所定の振幅値を有する交流電流が流れる。
【００４３】
このように、電流検出部３６が交流電流の振幅値を検出する位置（本実施形態では交流電圧源３４と電源回路１２の間）においては、システムメインリレー２０及びチャージリレー３２が有する全ての接点が開状態である場合と、当該２つのリレーが有するいずれかの接点が固着した場合とで、交流電圧源３４が印加した交流電圧によって生じる交流電流の振幅値が互いに異なる。この条件を満たす限りにおいて、電流検出部３６は他の位置の交流電流の振幅値を検出してもよい。例えば、バッテリ１８の正電極に接続されたラインにおける交流電流の振幅値、あるいはバッテリ１８の負電極に接続されたラインの交流電流の振幅値を検出するようにしてもよい。
【００４４】
以上の通りであるから、電流検出部３６の検出振幅値に基づいて、検出対象リレーの接点の固着が検出可能である。具体的には、交流電流経路Ａ及びＢに流れる交流電流の振幅値と、システムメインリレー２０及びチャージリレー３２の接点が開状態の場合に電流検出部３６が検出する振幅値（ほぼ０）との間の値である閾値を予め定めておく。これにより、ＥＣＵ４０は、電流検出部３６の検出した振幅値が当該閾値未満である場合は、システムメインリレー２０及びチャージリレー３２が正常であり、当該閾値以上である場合は、システムメインリレー２０及びチャージリレー３２が有する接点の少なくとも１つが固着したことを検出できる。
【００４５】
なお、交流電流経路Ａに流れる交流電流の振幅値と、交流電流経路Ｂに流れる交流電流の振幅値との間で有意な差が認められるならば、ＥＣＵ４０は、電流検出部３６の検出した振幅値に応じて、システムメインリレー２０の接点とチャージリレー３２の接点とのいずれが固着したのかを識別することも可能である。
【００４６】
また、本実施形態では、検出対象リレーの接点の固着を検出するために、交流信号として交流電流の振幅値を検出していたが、交流信号として交流電圧を検出するようにしてもよい。例えば、交流電圧源３４と電源回路１２との間に抵抗素子を設け、負電極ライン１８ｂにおける交流電圧の振幅値を検出するようにしてもよい。これによれば、検出対象リレーの接点が固着した場合に生じる負電極ライン１８ｂにおける交流電圧の振幅値の変動に基づいて、検出対象リレーの接点の固着を検出できる。
【００４７】
充電プラグ２４が外部交流電源に接続された状態で上述の検出処理を行った場合、外部交流電源に由来するノイズの影響により、検出対象リレーの接点の固着の誤検出が生じるおそれがある。具体的には、外部交流電源に由来する上記ノイズによって流れる交流電流を電流検出部３６が検出してしまい、その検出振幅値が予め定められた閾値以上となる場合がある。そうすると、ＥＣＵ４０は、検出対象リレーの接点が固着していないにも拘わらず、検出対象リレーの接点が固着していると誤検出してしまうことになる。したがって、本実施形態において、ＥＣＵ４０は、外部交流電源に由来するノイズによる誤検出を防ぐために、充電プラグ２４が外部交流電源に接続されていないことを検出するプラグ接続状態判定手段として機能する。その結果、電流検出部３６が検出した振幅値に基づく検出対象リレーの接点の固着検出処理は、充電プラグ２４が外部交流電源に接続されていないときのみ行うことができ、ノイズによる誤検出を防止することができる。
【００４８】
以下、図４に示されたフローチャートに従って、リレー固着検出システム１０における固着検出処理の流れについて説明する。なお、図４のフローチャートに示す通り、本実施形態においては、固着検出処理は、プラグイン充電が終了したタイミングで実行されるが、固着検出処理の実行タイミングはそれに限られない。
【００４９】
ステップＳ１０において、ユーザにより充電プラグ２４が外部交流電源に接続される。それに伴い、ＥＣＵ４０はチャージリレー３２の接点を閉状態とする制御を行う。これによりプラグイン充電が開始される。
【００５０】
ステップＳ１２において、ＥＣＵ４０は、充電器２８から送信されてくるプラグ接続情報を参照し、充電プラグ２４が外部交流電源から取り外されたか否かを判定する。充電プラグ２４が未だ外部交流電源に接続されている場合は、ステップＳ１４に進み、一定時間待機した後再度ステップＳ１２において判定を行う。充電プラグ２４が外部交流電源から取り外された場合はステップＳ１６に進む。
【００５１】
ステップＳ１６において、ＥＣＵ４０は、システムメインリレー２０及びチャージリレー３２の接点を開状態とする制御を行う。これにより、システムメインリレー２０及びチャージリレー３２が正常であれば、各リレーが有する接点は開状態となるが、システムメインリレー２０及びチャージリレー３２が有する接点の少なくとも１つが固着している場合は、当該固着した接点は閉状態が維持される。
【００５２】
ステップＳ１８において、システムメインリレー２０及びチャージリレー３２の接点の固着判定が実施される。具体的には、ＥＣＵ４０は、充電プラグ２４が外部交流電源に接続されていない状態において電流検出部３６が検出した交流電流の振幅値を参照し、当該振幅値が予め設定された閾値以上である場合は、システムメインリレー２０及びチャージリレー３２が有する接点のいずれかが固着していると判定し、当該振幅値が当該閾値未満である場合は、システムメインリレー２０及びチャージリレー３２が有する接点の全てが固着していないと判定する。
【００５３】
以上の通り、本実施形態によれば、充電プラグ２４が外部交流電源に接続されていない場合に電流検出部３６が検出した振幅値に基づいて、検出対象リレーの接点の固着検出処理が行われる。これにより、外部交流電源に由来するノイズの影響を受けることなく、固着検出処理を行うことができ、誤検出の可能性が低減される。
【００５４】
以上、本発明に係る実施形態を説明したが、本発明は上記実施形態に限られるものではなく、本発明の趣旨を逸脱しない限りにおいて種々の変更が可能である。
【符号の説明】
【００５５】
１０  リレー固着検出システム、１２  電源回路、１４  電力供給回路、１６  充電回路、１８  バッテリ、１８ａ  正電極ライン、１８ｂ  負電極ライン、２０  システムメインリレー、２０ａ，２０ｂ，３２ａ，３２ｂ  接点、２２  ＰＣＵ、２２ａ，２８ａ  浮遊容量、２４  充電プラグ、２６  交流ライン、２８  充電器、３０  直流ライン、３２  チャージリレー、３４  交流電圧源、３６  電流検出部、３８  カップリングコンデンサ、４０  ＥＣＵ。
【図１】
0006623794.tif 000002
【図２】
0006623794.tif 000003
【図３】
0006623794.tif 000004
【図４】
0006623794.tif 000005